(57)【要約】      （修正有）【課題】小型のカメラ本体内でのスペース効率と動作性能を低下させることなく、ストロボ発光部の十分な移動量を確保することができる仕組みを提供する。【解決手段】ストロボ発光部１２は、カメラ本体に対し収納位置と突出位置との間で移動し、前記収納位置で係止機構によって係脱可能に係止された状態で付勢バネ１８により前記突出位置方向に付勢される。また、ストロボ発光部１２には、互いに回動可能に結合された一対のレバーの一方レバー１５が回動可能に支持され、他方のレバー１６が固定部材のリアベース３９に回動可能に支持される。一対のレバー１５，１６は、前記収納位置で付勢バネ１８の付勢力に抗して互いに接近する方向に回動して内側に折り畳まれた状態とされ、係止機構によるストロボ発光部１２の係止が解除されたとき、付勢バネ１８の付勢力で互いに外側に開く方向に回動してストロボ発光部１２を前記突出位置に移動させる。【選択図】図１５
2013130699.tif 000002
【特許請求の範囲】
【請求項１】
機器本体と、
前記機器本体の内部に設けられる固定部材と、
前記固定部材に収納される収納位置と前記機器本体から突出する突出位置との間で移動する可動部と、
前記可動部を前記突出位置の方向に付勢する付勢機構と、
前記可動部を前記収納位置で前記付勢機構の付勢力に抗して係脱可能に係止する係止機構と、を備え、
前記付勢機構は、互いに回動可能に結合される一対のレバーと、前記一対のレバーを互いに開く方向に付勢する付勢バネと、を有し、
前記一対のレバーのうちの一方のレバーが前記可動部に回動可能に支持され、他方のレバーが前記固定部材に回動可能に支持され、
前記一対のレバーは、前記収納位置で前記付勢バネの付勢力に抗して互いに接近する方向に回動して内側に折り畳まれた状態とされ、前記係止機構による前記可動部の係止が解除されたとき、前記付勢バネの付勢力により互いに外側に開く方向に回動して前記可動部を前記突出位置に移動させることを特徴とする電子機器。
【請求項２】
前記固定部材と前記可動部とを接続する複数のリード線を備え、
前記複数のリード線は、前記一対のレバーの前記外側に沿って配線されることを特徴とする請求項１に記載の電子機器。
【請求項３】
前記付勢バネは、巻き部の両端にそれぞれ腕部を有するトグルバネで構成され、
前記一対のレバーが内側に折り畳まれた状態のとき、前記一対のレバーの前記内側にそれぞれ形成されたバネ収納部に前記巻き部が収納されることを特徴とする請求項１又は２に記載の電子機器。
【請求項４】
前記固定部材に形成される前記可動部の収納空間は、前記機器本体の内部と隔離されていることを特徴とする請求項１乃至３のいずれか一項に記載の電子機器。
【請求項５】
前記機器本体がカメラ本体、前記可動部がストロボ発光部であり、前記ストロボ発光部の内部には、キセノン管と前記キセノン管に接続されるトリガー部材とが設けられることを特徴とする請求項１乃至４のいずれか一項に記載の電子機器。
【発明の詳細な説明】
【技術分野】
【０００１】
本発明は、例えばデジタルカメラ等の電子機器に関する。
【背景技術】
【０００２】
小型でレンズ鏡筒が大きいデジタルカメラ等では、レンズ鏡筒の先端でストロボ光が遮られて被写体に届かなくなる、所謂「ケラレ」を防止するため、ストロボ発光部をカメラ本体から突出させるポップアップストロボを搭載したものがある。
【０００３】
例えば、ストロボ発光部の下方に設けた圧縮バネによりストロボ発光部をカメラ本体から突出する方向に付勢した状態で、ロック機構によりカメラ本体の内部に保持する技術が提案されている（特許文献１）。この提案では、必要に応じてロック機構のロックを解除することで、ストロボ発光部を機器本体から突出させるようにしている。
【０００４】
また、圧縮バネに代えて、旋回アームを設け、ストロボ発光部をトグルバネによりカメラ本体から突出する方向に付勢する技術が提案されている（特許文献２）。
【先行技術文献】
【特許文献】
【０００５】
【特許文献１】特開２０１０−２６２６５号公報
【特許文献２】特開２００１−３１１９８６号公報
【発明の概要】
【発明が解決しようとする課題】
【０００６】
しかし、上記特許文献１では、ストロボ発光部の移動量を大きくするほど圧縮バネの全長が長くなり、カメラ本体に圧縮バネを伸縮させるための細長いスペースが必要となる。このため、ストロボユニット全体がカメラ本体の上下方向に細長い形状となり、カメラ本体内でのスペース効率が悪い。
【０００７】
また、上記特許文献２では、旋回アームを使用することで、圧縮バネのような細長いスペースが不要となり、また、トグルバネも省スペースで済むが、旋回アームの先端とストロボ発光部との接合部分が摺動するため、摺動抵抗が生じ、動作性能の低下につながる。また、ストロボ発光部の移動量を大きくするほど旋回アームが長くなって、広い旋回範囲が必要となり、カメラ本体内でのスペース効率が悪くなる。
【０００８】
そこで、本発明は、小型の機器本体内でのスペース効率と動作性能を低下させることなく、可動部の十分な移動量を確保することができる仕組みを提供することを目的とする。
【課題を解決するための手段】
【０００９】
上記目的を達成するために、本発明の電子機器は、機器本体と、前記機器本体の内部に設けられる固定部材と、前記固定部材に収納される収納位置と前記機器本体から突出する突出位置との間で移動する可動部と、前記可動部を前記突出位置の方向に付勢する付勢機構と、前記可動部を前記収納位置で前記付勢機構の付勢力に抗して係脱可能に係止する係止機構と、を備え、前記付勢機構は、互いに回動可能に結合される一対のレバーと、前記一対のレバーを互いに開く方向に付勢する付勢バネと、を有し、前記一対のレバーのうちの一方のレバーが前記可動部に回動可能に支持され、他方のレバーが前記固定部材に回動可能に支持され、前記一対のレバーは、前記収納位置で前記付勢バネの付勢力に抗して互いに接近する方向に回動して内側に折り畳まれた状態とされ、前記係止機構による前記可動部の係止が解除されたとき、前記付勢バネの付勢力により互いに外側に開く方向に回動して前記可動部を前記突出位置に移動させることを特徴とする。
【発明の効果】
【００１０】
本発明によれば、小型の機器本体内でのスペース効率と動作性能を低下させることなく、可動部の十分な移動量を確保することができる。
【図面の簡単な説明】
【００１１】
【図１】（ａ）は本発明の電子機器の実施形態の一例であるデジタルカメラを正面側（被写体側）から見た斜視図、（ｂ）は（ａ）に示すデジタルカメラを背面側から見た斜視図である。
【図２】図１（ａ）に示すデジタルカメラのストロボ発光部をカメラ本体から突出させた状態を示す斜視図である。
【図３】図１（ａ）に示すデジタルカメラの分解斜視図である。
【図４】ストロボユニットの分解斜視図である。
【図５】（ａ）は付勢機構の斜視図、（ｂ）は付勢機構の分解斜視図である。
【図６】（ａ）は一対のレバーを中間軸を中心に互いに接近する閉方向に回動させて内側に折り畳んだ状態を示す図、（ｂ）は一対のレバーが互いに開方向に回動して外側に開いた状態を示す図である。
【図７】ストロボ発光部の分解斜視図である。
【図８】ベース部材、付勢機構、ケース、及びスライダの斜視図である。
【図９】図８を背面側から見た斜視図である。
【図１０】固定部材の分解斜視図であり、付勢機構が組み付けられたストロボ発光部の斜視図を付加した図である。
【図１１】（ａ）は固定部材の組み立て例を説明するための斜視図、（ｂ）は（ａ）を背面側から見た斜視図である。
【図１２】固定部材にストロボ発光部を組み込む様子を示す斜視図である。
【図１３】固定部材にストロボ発光部を組み込んだ状態を示す斜視図である。
【図１４】（ａ）はストロボ発光部がリアベースに対して上方へ移動した状態を示す斜視図、（ｂ）は（ａ）を右側から見た斜視図である。
【図１５】（ａ）はストロボ発光部が収納位置にあるときのストロボユニットの一部を破断した図、（ｂ）はストロボ発光部が突出位置にあるときのストロボユニットの一部を破断した図である。
【図１６】（ａ）は、ストロボ発光部が収納位置にあるときのスライダ、ロックアーム、及びロックレバーの動作状態を説明するための図である。（ｂ）は、ストロボ発光部が収納位置でロックレバーを操作したときのスライダ、及びロックアームの動作状態を説明するための図である。
【図１７】（ａ）は、ストロボ発光部が突出位置にあるときのスライダ、ロックアーム、及びロックレバーの動作状態を説明するための図である。（ｂ）は、ストロボ発光部が突出位置でロックレバーから手を離したときのスライダ、及びロックアームの動作状態を説明するための図である。
【図１８】（ａ）は、ストロボ発光部が下降途中のときのスライダ、ロックアーム、及びロックレバーの動作状態を説明するための図である。（ｂ）は、ストロボ発光部が収納位置に達したときのスライダ、ロックアーム、及びロックレバーの動作状態を説明するための図である。
【発明を実施するための形態】
【００１２】
以下、本発明の実施形態の一例を図面を参照して説明する。
【００１３】
図１（ａ）は本発明の電子機器の実施形態の一例であるデジタルカメラを正面側（被写体側）から見た斜視図、図１（ｂ）は図１（ａ）に示すデジタルカメラを背面側から見た斜視図である。図２は図１（ａ）に示すデジタルカメラのストロボ発光部をカメラ本体から突出させた状態を示す斜視図、図３は図１（ａ）に示すデジタルカメラの分解斜視図である。
【００１４】
図１乃至図３に示すように、本実施形態のデジタルカメラは、フロントカバー２、リアカバー３、及びトップカバー４により、カメラ本体１の外装を形成している。カメラ本体１の内部には、電池収納部５が設けられ、カメラ本体１の正面側には、レンズ鏡筒６が設けられ、カメラ本体１の背面側には、表示ユニット７等が設けられている。
【００１５】
また、カメラ本体１の上面部には、電源スイッチ９、ズームレバー１０、レリーズボタン１１、ストロボユニット８のストロボ発光部１２、及びロックレバー４５等が設けられている。ここで、カメラ本体１は、本発明の機器本体の一例に相当し、ストロボ発光部１２は、本発明の可動部の一例に相当する。
【００１６】
レンズ鏡筒６は、電源スイッチ９がオンされると、被写体側に繰り出し、ズームレバー１０の操作によって焦点距離（光学ズームのズーム倍率）を調整することができる。表示ユニット７は、撮影する画像の確認や記録された画像の表示を行うほか、撮影に必要な各種情報、例えば撮影する被写体が暗い場合、ストロボ発光部１２をポップアップする様に撮影者へ促すためのアイコンやガイド等を表示する。
【００１７】
また、図１（ａ）の状態でロックレバー４５を操作することで、ストロボ発光部１２のロックが解除されてストロボ発光部１２がトップカバー４の開口部４ａから突出（ポップアップ）し、図２の状態となる。
【００１８】
次に、図４乃至図１８を参照して、ストロボユニット８について説明する。図４は、ストロボユニット８の分解斜視図である。図４に示すように、ストロボユニット８は、ストロボ発光部１２、付勢機構１３、及び固定部材１４を備える。
【００１９】
説明の便宜上、付勢機構１３から説明する。図５（ａ）は付勢機構１３の斜視図、図５（ｂ）は付勢機構１３の分解斜視図である。
【００２０】
図５に示すように、付勢機構１３は、一対のレバー１５，１６、中間軸１７、及び付勢バネ１８を備える。ここで、レバー１５は、本発明の一方のレバーの一例に相当し、レバー１６は、本発明の他方のレバーの一例に相当する。
【００２１】
レバー１５の両端部には、それぞれ第１軸穴１５ａ及び第２軸穴１５ｂが形成され、第１軸穴１５ａと第２軸穴１５ｂとの間には、ビス穴１５ｃ及び略半円形のバネ収納部１５ｄが形成されている。
【００２２】
レバー１６の両端部にも、それぞれ第１軸穴１６ａ及び第２軸穴１６ｂが形成され、第１軸穴１６ａと第２軸穴１６ｂとの間には、ビス穴１６ｃ及び略半円形のバネ収納部１６ｄが形成されている。
【００２３】
中間軸１７は、レバー１５の第２軸穴１５ｂとレバー１６の第２軸穴１６ｂに挿入される。これにより、レバー１５とレバー１６とが互いに回動可能に結合される。
【００２４】
付勢バネ１８は、本実施形態では、一対の腕部１８ａ，１８ｂと、巻き部１８ｃとを備えるトグルバネで構成されている。そして、腕部１８ａは、レバー１５のビス穴１５ｃにビス１９を介して固定され、腕部１８ｂは、レバー１６のビス穴１５ｃにビス１９を介して固定される。
【００２５】
図６（ａ）は、一対のレバー１５，１６を付勢バネ１８の付勢力に抗して内側に押すことで、中間軸１７を中心に互いに接近する閉方向に回動させて折り畳んだ状態を示す図である。図６（ａ）の状態では、付勢バネ１８の巻き部１８ｃが一対のレバー１５，１６のバネ収納部１５ｄ，１６ｄに収納される。
【００２６】
図６（ｂ）は、一対のレバー１５，１６を内側に押す力を解除することで、一対のレバー１５，１６が付勢バネ１８の付勢力により互いに開方向に回動して外側に開いた状態を示す図である。
【００２７】
図７は、ストロボ発光部１２の分解斜視図である。ストロボ発光部１２は、ストロボ発光に必要な各部材を収納し、付勢機構１３の付勢力により固定部材１４から突出して発光するもので、固定部材１４とは複数のリード線２３〜２６で接続される。
【００２８】
図７に示すように、ストロボ発光部１２は、フレネルカバー２１、リフレクター２９、ベース部材３１、トリガー部材３２、ケース３４、及びスライダ３５を備える。
【００２９】
フレネルカバー２１は、透明アクリル材等で形成され、略箱状をなして、正面にフレネルレンズ２１ａが配置され、背面側は開放されている。フレネルカバー２１の背面側には、キセノン管２２にリード線２３，２４を半田付けし、ゴム管２７，２８に挿入したものが取り付けられる。
【００３０】
リフレクター２９は、高輝度アルミ板材で形成され、接続部２９ａにリード線３０が接続されている。リフレクター２９は、キセノン管２２の背面からフレネルカバー２１に嵌め込まれた状態で、ベース部材３１に取り付けられる。
【００３１】
このとき、ベース部材３１に設けた４ヶ所の爪部３１ａ〜３１ｄにフレネルカバー２１が係止され、フレネルカバー２１、キセノン管２２、及びリフレクター２９が一体的にベース部材３１に保持される。
【００３２】
トリガー部材３２は、入力部３２ａ，３２ｂにリード線２５，２６が半田付けされた状態でベース部材３１の取付部３１ｅに接着固定され、また、リフレクター２９に接続されたリード線３０が出力部３２ｃに半田付けされる。
【００３３】
キセノン管２２に接続されたリード線２３，２４、及びトリガー部材３２に接続されたリード線２５，２６は、ベース部材３１に配線されてリード線出口３１ｆから引き出され、リード線出口３１ｆ付近は、接着剤等で固定される。
【００３４】
本実施形態では、キセノン管２２とトリガー部材３２をストロボ発光部１２の内部に設けているので、固定部材１４とストロボ発光部１２とを接続するリード線２３〜２６をより低電圧で細いリード線とすることができ、スムーズなポップアップ動作が可能となる。
【００３５】
図８はフレネルカバー２１、リフレクター２９、及びトリガー部材３２を組み付けた状態のベース部材３１と、付勢機構１３、ケース３４、及びスライダ３５の斜視図、図９は図８を背面側から見た斜視図である。
【００３６】
図８及び図９を参照して、付勢機構１３のレバー１５の第１軸穴１５ａ、及びベース部材３１の軸受部３１ｇには、第１レバー軸３３が嵌合され、これにより、ベース部材３１に対してレバー１５が回動可能に支持される。
【００３７】
ケース３４は、略箱状をなし、正面側（被写体側）に開口窓３４ａが形成され、背面側及び下面側は開放されている。また、ケース３４の上面部３４ｂは、トップカバー４の開口部４ａを内側から塞いで内部へごみや異物等が侵入しにくくなっている。ケース３４に、ベース部材３１を取り付けた状態では、開口窓３４ａにフレネルカバー２１のフレネルレンズ２１ａが露出するようになっている。
【００３８】
スライダ３５は、ケース３４の背面側を覆うもので、ビス３６，３７によってケース３４に固定される。スライダ３５の背面側には、図９に示すように、摺動穴３５ａ，３５ｂ、摺動爪３５ｃ、係止爪３５ｄ、スイッチ検出部３５ｅ、及びストッパー部３５ｆが設けられている。
【００３９】
リード線２３〜２６の所定の位置Ｌ１には、マークが付され、マークよりベース部材３１に所定量接近した位置には、熱収縮性を有するチューブ３８が外挿される。チューブ３８の表面を半田コテ等で加熱することで、チューブ３８が収縮して、リード線２３〜２６が束ねられた状態になる。
【００４０】
図１０は、固定部材１４の分解斜視図であり、付勢機構１３が組み付けられたストロボ発光部１２の斜視図を付加した図である。図１１（ａ）は固定部材１４の組み立て例を説明するための斜視図、図１１（ｂ）は図１１（ａ）を背面側から見た斜視図である。
【００４１】
図１０及び図１１において、ガイドプレート４０には、第２レバー軸４１をカシメ等で結合され、ロックアーム４２の回転軸４２ａは、リアベース３９の軸受穴３９ａに挿入され（図１１（ａ））、図１１（ｂ）に示すように、裏側からビス４３で固定される。
【００４２】
ロックバネ４４のフック部４４ａは、リアベース３９のバネ掛け部３９ｂに掛けられ、フック部４４ｂは、ロックアーム４２のバネ掛け部４２ｂに掛けられて、ロックアーム４２が回動方向に付勢される。
【００４３】
そして、ロックレバー４５は、リアベース３９の摺動レール３９ｃに組み込まれる。この状態で、ガイドプレート４０は、リアベース３９にビス４６，４７で結合され、ロックレバー４５は、ロックアーム４２（ロックバネ４４）の付勢力により押されて摺動レール３９ｃの片側に寄せられた位置で停止する。ガイドプレート４０には、クッション材４８が貼着固定される。
【００４４】
図１２は固定部材１４にストロボ発光部１２を組み込む様子を示す斜視図、図１３は固定部材１４にストロボ発光部１２を組み込んだ状態を示す斜視図である。
【００４５】
図１２に示すように、ストロボ発光部１２は、スライダ３５に形成された摺動爪３５ｃがガイドプレート４０のレール部４０ｂを挟む様にして組み付けられる。このとき、付勢機構１３の一対のレバー１５，１６を適宜内側に折り畳んで、レバー１６の第１軸穴１６ａを第２レバー軸４１に回動可能に嵌合し、この状態でストロボ発光部１２を押し下げると、図１３に示す状態となる。
【００４６】
図１３に示すように、ガイドシャフト４９は、両端部が小径に形成され、スライダ３５の摺動穴３５ｂに挿入されて、一端がガイドプレート４０の取付穴４０ａに嵌合され、他端が保持板５０の取付穴５０ａに嵌合される。保持板５０は、ビス５１によりリアベース３９に固定される。
【００４７】
この状態では、ガイドプレート４０のレール部４０ｂとガイドシャフト４９とが平行に配置され、レール部４０ｂとガイドシャフト４９に沿ってスライダ３５がスライド可能な状態となる。
【００４８】
そして、付勢機構１３の一対のレバー１５，１６が付勢バネ１８の付勢力により互いに開方向に回動して外側に開くことで、ストロボ発光部１２は、図１４に示すように、上方へ移動する。
【００４９】
図１４（ａ）はストロボ発光部１２がリアベース３９に対して上方へ移動した状態を示す斜視図、図１４（ｂ）は図１４（ａ）を右側から見た斜視図である。
【００５０】
図１４に示すように、リアベース３９の配線部３９ｄには、リード線２３〜２６が固定される。配線部３９ｄには、リード線２３〜２６の太さに応じた幅のスリットが形成されている。リード線２３〜２６は、前述した位置Ｌ１にマークした部分を配線部３９ｄの下端に合わせて接着剤等で固定される。
【００５１】
図１０に戻って、フロントベース５２は、略コ字形状とされて、リアベース３９及びガイドプレート４０にビス５３〜５５を介して取り付けられ、リアベース３９と一体となってストロボ発光部１２が下降したときの収納空間を形成する。
【００５２】
ストロボフレキ５６には、ストロボ制御に必要な各種回路及び電気素子類が実装され、リアベース３９の配線部３９ｄから延びるリード線２３〜２６が接続される。また、ストロボフレキ５６は、折り畳まれてフレキホルダー５７に取り付けられる。
【００５３】
このとき、ストロボフレキ５６の一端に実装された検出スイッチ５８がフレキホルダー５７のスイッチ取付面５７ａに貼り付けられて固定される。また、フレキホルダー５７は、リアベース３９の背面側に配置されて、ビス５９〜６１によりリアベース３９に固定される。
【００５４】
メインコンデンサ６２は、ストロボ発光に要する電力を充電する。メインコンデンサ６２は、リード線６３，６４がストロボフレキ５６に接続され、リアベース３９のコンデンサ取付部３９ｅに取り付けられる。スピーカユニット６５は、サイドプレート６６に取り付けられ、サイドプレート６６は、リアベース３９の側面にビス６７により固定される。
【００５５】
次に、デジタルカメラの操作例について説明する。
【００５６】
電源スイッチ９をオン操作すると、レンズ鏡筒６が沈胴位置からワイド位置まで繰り出し、撮影可能となる。撮影者は、表示ユニット７で被写体像を確認し、レリーズボタン１１を押して撮影する。表示ユニット７にストロボ撮影を促すアイコンが表示され、撮影者がロックレバー４５を操作すると、図２に示すように、ストロボ発光部１２が収納位置から上昇してカメラ本体１から突出する。
【００５７】
この突出動作について具体的に説明する。
【００５８】
図１５（ａ）はストロボ発光部１２が収納位置にあるときのストロボユニット８の一部を破断した図、図１５（ｂ）はストロボ発光部１２が突出位置にあるときのストロボユニット８の一部を破断した図である。
【００５９】
図１６（ａ）は、ストロボ発光部１２が収納位置にあるときのスライダ３５、ロックアーム４２、及びロックレバー４５の動作状態を説明するための図である。図１６（ｂ）は、ストロボ発光部１２が収納位置でロックレバー４５を操作したときのスライダ３５、及びロックアーム４２の動作状態を説明するための図である。なお、図１６では、スライダ３５は、断面（斜線部）で図示している。
【００６０】
図１（ａ）に示すように、ストロボ発光部１２が収納位置にある状態では、図１６（ａ）に示すように、ロックアーム４２が図の時計周り方向へ回動し、先端部４２ｃがロックレバー４５のリブ部４５ａを右方向に寄せた位置で停止している。
【００６１】
この状態では、ロックアーム４２の係止部４２ｄに、スライダ３５の係止爪３５ｄが付勢機構１３の付勢力に抗して係止されている。ここで、ロックアーム４２の係止部４２ｄ及びスライダ３５の係止爪３５ｄは、本発明の係脱可能な係止機構の一例に相当する。
【００６２】
このとき、付勢機構１３は、図６（ａ）に示すように、一対のレバー１５，１６は、中間軸１７を中心に互いに接近する閉方向に回動して折り畳まれた状態にあり、中間軸１７は、第１軸穴１５ａ及びレバー１６から右側に寄った位置にある。
【００６３】
そして、図６に示すように、付勢バネ１８の巻き部１８ｃは、バネ収納部１５ｄ，１６ｄによって形成される略円筒状の空間に高さ方向のスペースを小さくして収納される。また、リード線２３〜２６についても、中間軸１７の右側で折り曲げられた状態で高さ方向のスペースを小さくして収納される。
【００６４】
図１６（ｂ）に示すように、図１６（ａ）の状態からロックレバー４５をロックアーム４２の付勢力に抗して左方向に操作すると、ロックレバー４５のリブ部４５ａがロックアーム４２の先端部４２ｃを押してロックアーム４２を図の反時計周り方向に回動させる。
【００６５】
このとき、ロックアーム４２の係止部４２ｄからスライダ３５の係止爪３５ｄが離脱し、ロック状態が解除される。これにより、スライダ３５（ストロボ発光部１２）は、付勢機構１３の付勢バネ１８の付勢力によって上方へ移動して、ストロボ発光部１２がカメラ本体１から突出し、図２の状態となる。
【００６６】
図２の状態では、付勢機構１３は、図６（ｂ）に示すように、一対のレバー１５，１６が付勢バネ１８の付勢力により互いに開方向に回動して外側に開いた状態となる。
【００６７】
また、図１５（ａ）及び図１５（ｂ）に示すように、固定部材１４の第１軸穴１６ａに対してストロボ発光部１２の第１軸穴１５ａが上昇する。これにより、中間軸１７も図の左側へ移動するので、リード線２３〜２６が延びるためのスペースを妨げないで済む。
【００６８】
また、固定部材１４と付勢機構１３とストロボ発光部１２をつなぐ各結合部分、すなわち、中間軸１７、第１レバー軸３３、及び第２レバー軸４１は、軸によるリンク結合で直線摺動がないので、動作抵抗が少なく、スムーズに動作する。
【００６９】
図１７（ａ）は、ストロボ発光部１２が突出位置にあるときのスライダ３５、ロックアーム４２、及びロックレバー４５の動作状態を説明するための図である。図１７（ｂ）は、ストロボ発光部１２が突出位置でロックレバー４５から手を離したときのスライダ３５、及びロックアーム４２の動作状態を説明するための図である。
【００７０】
図１７（ａ）に示す位置までストロボ発光部１２が上方に移動すると、ストッパー部３５ｆがガイドプレート４０に設けたクッション材４８に当接して、それ以上の移動が規制される。また、スライダ３５に設けたスイッチ検出部３５ｅによって検出スイッチ５８が押されて、カメラ本体１の制御部にストロボ発光部１２の上昇完了信号が送信される。
【００７１】
そして、ロックレバー４５から手を離すと、図１７（ｂ）に示すように、ロックバネ４４の付勢力によりロックアーム４２が図の時計周り方向に回動してロックレバー４５が右方向へ戻される。
【００７２】
この状態で、撮影者は、ストロボを使用した撮影を行なうことができる。撮影中は、付勢機構１３によって、ストロボ発光部１２は、常にカメラ本体１から突出した状態が維持される。
【００７３】
また、本実施形態では、フロントベース５２とリアベース３９で形成されるストロボ発光部１２の収納空間は、カメラ本体１の内部と隔離されている。このため、トップカバー４の開口部４ａからゴミ等の異物が侵入しても、前記収納空間で止められて、カメラ本体１の内部のレンズ鏡筒６や回路に悪影響を及ぼすのを防ぐことができる。
【００７４】
次に、ストロボ発光部１２の収納動作について説明する。
【００７５】
図２の状態でストロボ発光部１２を付勢バネ１８の付勢力に抗して手で押し下げると、ストロボ発光部１２は、前述した突出動作と逆の動作で収納位置まで下降していく。このとき、スライダ３５に設けたスイッチ検出部３５ｅが検出スイッチ５８から離れ、カメラ本体１側の制御部にストロボ発光部１２の下降信号を送信する。
【００７６】
また、付勢機構１３の一対のレバー１５，１６は、図６（ｂ）に示す開いた状態から互いに接近する閉方向に回動して折り畳まれた状態（図６（ａ））となり、付勢バネ１８の巻き部１８ｃがバネ収納部１５ｄ，１６ｄにより形成される略円筒状の空間に収納される。
【００７７】
また、この収納動作の際、中間軸１７が図１５（ｂ）の状態から右方向へ移動して図１５（ａ）の状態となってリード線２３〜２６を右側へ押すため、リード線２３〜２６も中間軸１７と共に右方向へ移動する。このため、リード線２３〜２６は、折り曲げられた状態で高さ方向のスペースを小さくして収納される。
【００７８】
図１８（ａ）は、ストロボ発光部１２が下降途中のときのスライダ３５、ロックアーム４２、及びロックレバー４５の動作状態を説明するための図である。図１８（ｂ）は、ストロボ発光部１２が収納位置に達したときのスライダ３５、ロックアーム４２、及びロックレバー４５の動作状態を説明するための図である。
【００７９】
ストロボ発光部１２が下降の途中では、ロックアーム４２は、図１８（ａ）から図１８（ｂ）に示すように、係止部４２ｄがスライダ３５の係止爪３５ｄに押されて図の反時計周り方向へ回動する。
【００８０】
そして、ストロボ発光部１２が図１８（ｂ）の収納位置まで達すると、ロックバネ４４によって付勢されたロックアーム４２が時計周り方向へ回動（図１６（ａ））し、先端部４２ｃがロックレバー４５のリブ部４５ａを右方向に寄せた位置で停止する。このとき、ロックアーム４２の係止部４２ｄにスライダ３５の係止爪３５ｄが係止して、ストロボ発光部１２がロック状態となり、ストロボ発光部１２が収納位置に保持される。
【００８１】
以上説明したように、本実施形態では、ストロボ発光部１２の収納位置では、付勢機構１３の一対のレバー１５，１６が付勢バネ１８の付勢力に抗して折り畳まれた状態でコンパクトに収納されてストロボ発光部１２がロック状態とされる。そして、ロック状態が解除されると、一対のレバー１５，１６が付勢バネ１８の付勢力により外側に開き、ストロボ発光部１２がカメラ本体から突出する位置に移動する。これにより、小型のカメラ本体１内でのスペース効率と動作性能を低下させることなく、ストロボ発光部１２の十分な移動量を確保することができる。
【００８２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００８３】
１  カメラ本体
１２  ストロボ発光部
１３  付勢機構
１４  固定部材
１５，１６  一対のレバー
１７  中間軸
１８  付勢バネ
３５ｄ  係止爪
４２ｄ  係止部
【図１】
2013130699.tif 000003
【図２】
2013130699.tif 000004
【図３】
2013130699.tif 000005
【図４】
2013130699.tif 000006
【図５】
2013130699.tif 000007
【図６】
2013130699.tif 000008
【図７】
2013130699.tif 000009
【図８】
2013130699.tif 000010
【図９】
2013130699.tif 000011
【図１０】
2013130699.tif 000012
【図１１】
2013130699.tif 000013
【図１２】
2013130699.tif 000014
【図１３】
2013130699.tif 000015
【図１４】
2013130699.tif 000016
【図１５】
2013130699.tif 000017
【図１６】
2013130699.tif 000018
【図１７】
2013130699.tif 000019
【図１８】
2013130699.tif 000020